(57)【要約】   【課題】  使用後にノズル可動部のゴミ詰まりなどに起因する戻り作動不良により残火が存在しても、確実に消火するガスライターを提供すること。  【解決手段】  操作ボタン４の操作により噴出ノズル６から燃料ガスを噴出させるとともに、点火機構を作動させて上記燃料ガスに着火させるガスライターにおいて、一方の面の下端に平板状の蓋部材10ａ、10ｂが形成され、他方の面に傾斜板12ａ、12ｂが形成された上向きに拡がる２つに分割された逆三角形の仕切板11ａ、11ｂ、および傾斜板12ａ、12ｂの頂部を屈曲自在に支持するＵ字形の枠体15よりなる消火部材１と、この消火部材１に対向する面の頂部近傍に突出させた２つの傾斜板12ａ、12ｂを摺動して仕切板11ａ、11ｂを開閉する摺動部材41が形成された操作ボタン４とにより構成される消火機構を具備し、操作ボタン４の操作に連動して２つの蓋部材10ａ、10ｂが噴出ノズル６の上で互いに反対方向に開閉する。【選択図】      図１
2007240068.tif 000002
【特許請求の範囲】
【請求項１】
操作ボタンの操作により噴出ノズルから燃料ガスを噴出させるとともに、点火機構を作動させて上記燃料ガスに着火させるガスライターにおいて、
一方の面の下端に平板状の蓋部材が形成され、他方の面に傾斜板が形成された上向きに拡がる２つに分割された逆三角形の仕切板、および上記傾斜板の頂部を屈曲自在に支持するＵ字形の枠体よりなる消火部材と、
該消火部材に対向する面の頂部近傍に突出させた上記傾斜板を摺動して上記仕切板を開閉する摺動部材が形成された上記操作ボタンとにより構成される消火機構を具備し、
操作ボタンの操作に連動して上記２つの蓋部材が噴出ノズルの上で互いに反対方向に開閉することを特徴とするガスライター。
【請求項２】
Ｕ字形の枠体と傾斜板との結合部において、傾斜板に切欠きを形成して傾斜板の幅を狭めたことを特徴とする請求項１に記載のガスライター。
【発明の詳細な説明】
【技術分野】
【０００１】
この発明は、ガスライターの使用終了後に、ガスライターの残火を確実に消す消火機構を備えたガスライターに関し、特に噴出ノズルの弁機構の開閉に不具合が生じて燃料ガスが漏出しても、漏出ガスの流れを遮断して確実に消火する消火機構を備えたガスライターに関する。
【背景技術】
【０００２】
従来のガスライターは、たばこ等に点火する手段として意図的な操作によって燃料ガスの噴出と点火操作を同時に行って着火し、意図的に操作した状態を解除することにより消火している。
【０００３】
操作を解除して消火状態に戻っても、粉塵が噴出ノズルの弁や噴出ノズルとガスレバーの間などに入り込むことなどによって噴出ノズルの弁が完全に閉塞することなく、燃料ガスが漏出することがある。このような漏出ガスにより着火状態（残火）が持続すると、予期しない火傷や火災などの事故に発展する可能性がある。
【０００４】
そこで、ガスライターの操作した状態を解除したときの消火を確実にするために、操作時のみ噴出ノズルを開放し、非操作時に噴出ノズルをバーナーキャップで塞ぐことにより、残火を消すように構成したガスライターが下記特許文献などに開示されている。
【特許文献１】特開２００１−１０８２３４号公報
【特許文献２】特開平７−１５８８５２号公報
【発明の開示】
【発明が解決しようとする課題】
【０００５】
特許文献１に記載のガスライターにおいては、操作ボタンと同時に操作するセットボタンを設け、セットボタンに連動して左右に開動するバーナーキャップを備え、燃料ガスを噴出する噴出ノズルをバーナーキャップにより常時包囲し、セットボタンを押し下げた際にバーナーキャップが左右に開動して噴出ノズルを露出するように構成している。ライター使用後は、操作ボタンから指を離すことにより、操作ボタンの自動復帰に伴ってガスを遮断させる。何らかの不具合により燃料ガスが漏出した場合でも、リターンラバーの弾力によって包囲状態に戻るバーナーキャップにより噴出ノズルを包囲して、漏出ガスに起因する残火を消すように構成している。
【０００６】
しかし、このガスライターは左右に開閉するバーナーキャップを噴出ノズルの周りに設けているので、バーナーキャップが左右に広がる空間をキャップ内に設ければならず、消火機構を小さくすることができないという問題がある。また、着火ボタンとは別のセットボタンの操作によりバーナーキャップを作動させねばならず、操作が面倒であった。
【０００７】
特許文献２に記載のガスライターにおいては、操作ボタンに設けたシャッターを非操作時には常時燃料ガスが噴出する噴出ノズルの吹出口に接触させ、着火操作時には操作ボタンの押し下げによって噴出ノズルから前方に押し出されてガス通路を開放し、ガスライター使用後は、操作ボタンから指を離すことにより、操作ボタンの自動復帰に伴ってガスを遮断させるとともにシャッターが噴出ノズル上で留まるように構成している。
【０００８】
しかし、このガスライターにおいてはシャッターが前方に押し出されるために、前方に広い空間を設けなければならず、消火機構を小さくすることができないという問題があった。また、シャッターは操作ボタンに片持ちさせているので、頻回の操作により次第にガタを生じてくるという課題があった。
【０００９】
そこで、この発明の消火機構を備えたガスライターは、このような課題を解決するために考えられたものであって、消火機構の可動空間を小さくし、構成および操作を簡素化したものである。
【課題を解決するための手段】
【００１０】
この発明のガスライターは、操作ボタンの操作により噴出ノズルから燃料ガスを噴出させるとともに、点火機構を作動させて上記燃料ガスに着火させるガスライターにおいて、一方の面の下端に平板状の蓋部材が形成され、他方の面に傾斜板が形成された上向きに拡がる２つに分割された逆三角形の仕切板、および上記傾斜板の頂部を屈曲自在に支持するＵ字形の枠体よりなる消火部材と、この消火部材に対向する面の頂部近傍に突出させた上記２つの傾斜板を摺動して上記仕切板を開閉する摺動部材が形成された上記操作ボタンとにより構成される消火機構を具備し、操作ボタンの操作に連動して上記２つの蓋部材が噴出ノズルの上で互いに反対方向に開閉するものである。
【発明の効果】
【００１１】
この発明のガスライターは、操作ボタンの非操作時に、噴出ノズルの上を覆う位置にあり、操作ボタンの操作時に、噴出ノズルの上から左右に開く蓋部材よりなる消火機構を具備することにより、噴出ノズル内にある弁機構を開くガスレバーの誤作動、ノズル可動部のゴミ詰まりなどに起因する戻り作動不良によって、噴出ノズルから燃料ガスが漏出し続けて残火が存在しても、蓋部材が定位置に戻ることにより噴出ガスが蓋部材に当たって、ガスを遮断または拡散させることになり、残火を確実に消火することができる。
【００１２】
また、この発明のガスライターにおいては、消火機構の蓋部材を円滑に動かすことができ、かつ、消火機構を小型化できるので、炎を形成するキャップの内側に設けることができる。外観やデザインに影響することがなく、操作においても従来のガスライターと同じである。
【発明を実施するための最良の形態】
【００１３】
図１は、この発明の消火機構を備えたガスライターの実施形態をキャップを外して示す斜視図である。図１に示すように、ライター本体からのガス通路を開閉して燃料ガスの供給を制御する弁機構62を有する噴出ノズル６と、この噴出ノズル６を引き上げて弁機構62の開閉作動を行うガスレバー３と、噴出ノズル６のノズルチップ61から放出されるガスに着火させる圧電ユニット７およびガスレバー３を作動して着火を行う操作ボタン４と、残り火消火部材１とを備えている。
【００１４】
ライター本体は、合成樹脂で成型された有底筒状のタンク本体の上面に上蓋が気密に固定され、その内部にブタンガスなどの燃料ガスを貯蔵するタンク部分が構成されるとともに、その上部に中間ケース２（図４参照）が嵌着されている。
【００１５】
ライター本体の上蓋には、貯蔵された燃料ガスの噴出量を制御する公知の弁機構62が設けられ、弁機構62の中心にパイプ状の噴出ノズル６が軸方向に移動可能に配設され、先端が中間ケース２より上部に突出している。噴出ノズル６の先端部にはノズルチップ61が装着され、放電点火による着火性を向上させるために、噴出されるガスの一部を外周部に拡散させて空気の混合性を高めている。
【００１６】
点火機構は、圧電ユニット７に結線された放電電極71が操作ボタン４の上部に設けられ、圧電ユニット７の作動に伴って発生される高電圧パルスが、放電電極71とノズルチップ61との間で放電して着火が行われる。
【００１７】
操作ボタン４は、その押し下げによりレバー押し72を介して、軸31を中心にガスレバー３を回動させて噴出ノズル６を上昇させ、ノズルチップ61から燃料ガスを噴出させるとともに、圧電ユニット７を押し下げて高電圧パルスを発生させ、放電電極71とノズルチップ61との間で放電して噴出ガスに点火するものである。
【００１８】
図１および図２に示すように、この発明の消火部材１は、頂部に火口を有するキャップ（図示せず）と操作ボタン４とに囲まれる着火空間において、縦方向に２つに分割されて、両下部にそれぞれ蓋部材10ａ、10ｂを設けた仕切板11ａ、11ｂを操作ボタン４の操作に連動して開閉させるように構成したもので、操作ボタン４の押し下げ（操作時）により、蓋部材10ａ、10ｂが、噴出ノズル６のノズルチップ61の上から横方向に開き、操作ボタン４の操作終了時（非操作時）に、蓋部材10ａ、10ｂが、噴出ノズル６のノズルチップ61の上で閉じるように構成したものである。
【００１９】
消火部材１は、図２（ａ）、（ｂ）の反対方向から見た斜視図、図２（ｃ）の正面図および図２（ｄ）の背面図に示すように、表側の下端に蓋部材10ａ、10ｂを形成し、裏側に傾斜板12ａ、12ｂを形成した上向きに拡がる逆三角形の仕切板11ａ、11ｂと、傾斜板12ａ、12ｂの頂部を支持して中間ケース２に嵌め込むＵ字形の枠体15とにより構成され、耐熱性の合成樹脂で一体成型したものである。
【００２０】
通常、２つの傾斜板12ａ、12ｂがＶ字を描き、２つの蓋部材10ａ、10ｂの対向面は密着しているが、２つの仕切板11ａ、11ｂの対向面の間には、操作ボタン４から突出する放電電極71を昇降させるための隙間が形成されている。
【００２１】
Ｕ字形の枠体15に対する傾斜板12ａ、12ｂの屈曲を容易にするために、仕切板11ａ、11ｂおよび傾斜板12ａ、12ｂの頂部とＵ字形の枠体15の頂部との結合部16には、切欠き14を形成して両傾斜板12ａ、12ｂの幅を狭めている。  
【００２２】
図３（ａ）の上方から見た斜視図および図３（ｂ）の下方から見た斜視図に示すように、操作ボタン４は、内側（消火部材側）に垂直面42を有し、この垂直面42の頂部近傍に放電電極71を突出させた摺動部材41が形成されており、空洞部43に圧電ユニット７の頂部が嵌め込まれる。この摺動部材41と消火部材１とにより消火機構を構成する。
【００２３】
図４（ａ）に示すように、消火部材固定溝21および噴出ノズル６の弁機構62を嵌め込む孔22を形成した中間ケース２を合成樹脂で成型し、図４（ｂ）に示すように、中間ケース２の孔22に弁機構62を嵌め込み、消火部材固定溝21に消火部材１のＵ字形の枠体15を嵌め込む。
【００２４】
図５（ａ）、（ｃ）、（ｄ）の正面図および（ｂ）、（ｅ）の平面図は、この発明の消火機構の一連の作動状態を示す図である。
【００２５】
操作ボタン４が一番上に位置する非操作状態においては、図５（ａ）の正面図および図５（ｂ）の平面図に示すように、操作ボタン４の摺動部材41は、消火部材１の傾斜板12ａ、12ｂに接触していないので、仕切板11ａ、11ｂに形成した蓋部材10ａ、10ｂが閉じて、ノズルチップ61の上を覆った状態で静止している。
【００２６】
操作ボタン４を押し下げて行くと、図５（ｃ）に示すように、放電電極71および摺動部材41が降下して、摺動部材41が傾斜板12ａ、12ｂに接触し、さらに押し下げると、図５（ｄ）の正面図および図５（ｅ）の平面図に示すように、傾斜板12ａ、12ｂの頂部とＵ字形の枠体15の頂部との結合部16において、結合部16が弾性変形して湾曲するので、摺動部材41が両傾斜板12ａ、12ｂの表面を摺動しながら押し拡げる。
【００２７】
操作ボタン４をさらに深く押し下げると、蓋部材10ａ、10ｂが開いてノズルチップ61の上から互いに反対方向に待避させる。このとき、レバー押し72を介するガスレバー３の回動により、噴出ノズル６が上昇させられて弁機構62を開いて燃料ガスが噴出させるとともに、放電電極71もノズルチップ61の先端に接近する。圧電ユニット７も押し下げられて高電圧パルスが発生し、放電電極71からの放電によりノズルチップ61から噴出された燃料ガスに着火する。
【００２８】
操作ボタン４から指を離して着火操作を解除すると、圧電ユニット７に組み込まれているスプリングの弾力によって、操作ボタン４が元の非操作状態に戻ると、結合部16が弾性変形して湾曲していた傾斜板12ａ、12ｂも元の状態に復元し、ノズルチップ61の上で蓋部材10ａ、10ｂが閉じる。このとき、ガスレバー３も非操作状態に戻って弁機構62を閉じ、燃料ガスの噴出を止めて消火させる。
【００２９】
砂粒などの異物がガスライターの内部に入り込んで、ガスレバー３とライター本体との間に異物が挟まったり、圧電ユニット７の外箱と内箱との隙間に異物が噛み込まれて、操作ボタン４から指を離しても、弁機構62が完全に閉じないで燃料ガスを漏出させる戻り作動不良を生じて、噴出ノズル６のノズルチップ61に火種が残ることがある。このような場合でも、操作ボタン４の上昇により蓋部材10ａ、10ｂが閉じてノズルチップ61を覆うので火種を消すことができる。このとき、蓋部材１が噴出ノズル６のノズルチップ61に完全に密着しなくても消火することができる。
【図面の簡単な説明】
【００３０】
【図１】この発明の消火機構を備えたガスライターの実施形態をキャップを外して示す斜視図である。
【図２】消火部材の正面側から見た斜視図（ａ）、背面側から見た斜視図（ｂ）、正面図（ｃ）および背面図（ｄ）である。
【図３】操作ボタンを上方から見た斜視図（ａ）、操作ボタンを下方から見た斜視図（ｂ）である。
【図４】消火機構の組立過程を示す斜視図である。
【図５】消火機構の動作を時系列的に説明するための図である。この発明の圧電機構
【符号の説明】
【００３１】
１  消火部材
10ａ、10ｂ  蓋部材
11ａ、11ｂ  仕切板
12ａ、12ｂ  傾斜板
15  Ｕ字形の枠体
16  弾性変形する結合部
２  中間ケース
21  消火部材固定溝
３  ガスレバー
４  操作ボタン
41  摺動部材
42  垂直面
43  空洞部
６  噴出ノズル
61  ノズルチップ
62  弁機構
７  圧電ユニット
71  放電電極
72  レバー押し
【図１】
2007240068.tif 000003
【図２】
2007240068.tif 000004
【図３】
2007240068.tif 000005
【図４】
2007240068.tif 000006
【図５】
2007240068.tif 000007